(57)【特許請求の範囲】
【請求項１】
ネットワークに接続可能な自営基地局装置と、
一般無線基地局又は前記自営基地局装置との無線通信を通じて前記ネットワークに接続可能な携帯端末装置と、
前記ネットワークに対してＩＰパケットの送受による通話が可能なＩＰ電話端末と、
前記ＩＰ電話端末の電話番号に関連付けられている該ＩＰ電話端末の接続先アドレスに基づいて該ＩＰ電話端末の電話番号に対する呼を該ＩＰ電話端末又は前記携帯端末装置に接続する呼接続サーバと
を具備する通信システムであって、
前記携帯端末装置は、
前記呼接続サーバと通信可能なネットワークに接続された場合、前記携帯端末装置を識別する端末識別子と前記携帯端末装置が現在接続されている自営基地局装置の前記ネットワーク上の位置を特定する端末位置アドレスとを前記呼接続サーバに送信する登録情報送信部を備え、
前記呼接続サーバは、
前記ＩＰ電話端末の電話番号と前記接続先アドレスと前記端末識別子とを関連付けて記憶する記憶部と、
前記端末識別子と前記端末位置アドレスとを受信する登録情報受信部と、
受信した前記端末識別子と前記記憶部に記憶されている前記端末識別子とに基づいて前記携帯端末装置を認証する認証部と、
前記認証部によって前記携帯端末装置が認証された場合、受信した前記端末位置アドレスと前記端末識別子に関連付けられて前記記憶部に記憶されている前記ＩＰ電話端末の電話番号とを対応付けるとともに、前記端末位置アドレスを前記接続先アドレスに優先する優先接続先として設定する優先接続先設定部と、
前記優先接続先が設定されている場合、前記端末位置アドレスに基づいて前記呼を前記携帯端末装置に接続する呼接続部と
を備えることを特徴とする通信システム。
【請求項２】
前記呼接続サーバは、前記携帯端末装置が前記ネットワークから切り離されたことを検知する検知部をさらに備え、
前記優先接続先設定部は、前記検知部によって前記携帯端末装置が前記ネットワークから切り離されたことが検知された場合、設定されている前記優先接続先を解除することを特徴とする請求項１に記載の通信システム。
【請求項３】
前記ＩＰ電話端末は、前記自営基地局装置を通じて、前記ネットワークに対しＩＰパケットを送受し、
前記記憶部は、前記ＩＰ電話端末の電話番号を利用するユーザを識別するユーザ識別子と前記ユーザ識別子に対応付けられるパスワードとをさらに前記ＩＰ電話端末の電話番号と関連付けて記憶し、
前記登録情報送信部は、前記ユーザ識別子と前記パスワードとをさらに前記呼接続サーバに送信し、
前記登録情報受信部は、前記ユーザ識別子と前記パスワードとをさらに受信し、
前記認証部は、受信した前記端末識別子と前記ユーザ識別子と前記パスワードとに基づいて、前記携帯端末装置を認証することを特徴とする請求項１又は２に記載の通信システム。
【請求項４】
前記携帯端末装置は、前記登録情報送信部による読み出しのみが可能に前記端末識別子を記憶する端末識別子記憶部をさらに備え、
前記登録情報送信部は、前記端末識別子記憶部から読み出した前記端末識別子を前記呼接続サーバに送信することを特徴とする請求項１乃至３のいずれかに記載の通信システム。
【請求項５】
前記携帯端末装置は、前記ユーザ識別子と前記パスワードとを記憶するユーザ情報記憶部をさらに備え、
前記登録情報送信部は、前記端末識別子と前記ユーザ情報記憶部に記憶されている前記ユーザ識別子及び前記パスワードとを前記呼接続サーバに送信することを特徴とする請求項３乃至４のいずれかに記載の通信システム。
【請求項６】
前記携帯端末装置と前記一般無線基地局との間の無線通信で使用されるプロトコルと同一のプロトコルを用いて、該携帯端末装置は、前記自営基地局装置と無線通信が可能であることを特徴とする請求項１乃至５のいずれかに記載の通信システム。
【請求項７】
前記携帯端末装置及び前記自営基地局装置は、
上記プロトコルを用いた無線通信用の第１の通信インターフェースと、
近距離通信用の第２の通信インターフェースと、
ユーザの操作により、前記第１の通信インターフェース及び前記第２の通信インターフェースを切り替える切替手段と
を備えることを特徴とする請求項６に記載の通信システム。
【請求項８】
前記自営基地局装置は、コンピュータに着脱可能なアダプタ部と、
前記携帯端末装置に対する無線通信用の通信アンテナ部と
を備えることを特徴とする請求項６又は７に記載の通信システム。
【請求項９】
ネットワークに接続可能な自営基地局装置と、
一般無線基地局又は前記自営基地局装置との無線通信を通じて前記ネットワークに接続可能な携帯端末装置と、
前記ネットワークに対してＩＰパケットの送受による通話が可能なＩＰ電話端末と
を具備する通信システムにおいて、
前記ＩＰ電話端末の電話番号に関連付けられている該ＩＰ電話端末の接続先アドレスに基づいて、該ＩＰ電話端末の電話番号に対する呼を該ＩＰ電話端末又は前記携帯端末装置に接続する呼接続サーバであって、
前記ＩＰ電話端の電話番号と前記接続先アドレスと前記携帯端末装置を識別する端末識別子とを関連付けて記憶する記憶部と、
前記携帯端末装置が前記呼接続サーバと通信可能なネットワークに接続された場合、前記携帯端末装置を識別する端末識別子と前記携帯端末装置が接続されている前記ネットワーク上の位置を特定する端末位置アドレスとを前記携帯端末装置から受信する登録情報受信部と、
受信した前記端末識別子と前記記憶部に記憶されている前記端末識別子とに基づいて前記携帯端末装置を認証する認証部と、
前記認証部によって前記携帯端末装置が認証された場合、受信した前記端末位置アドレスと前記端末識別子と関連付けられて前記記憶部に記憶されている前記ＩＰ電話端末の電話番号とを対応付けるとともに、前記端末位置アドレスを前記接続先アドレスに優先する優先接続先として設定する優先接続先設定部と、
前記優先接続先が設定されている場合、前記端末位置アドレスに基づいて前記呼を前記携帯端末装置に接続する呼接続部と
を備えることを特徴とする呼接続サーバ。
【請求項１０】
前記携帯端末装置が前記ネットワークから切り離されたことを検知する検知部をさらに備え、
前記優先接続先設定部は、前記検知部によって前記携帯端末装置が前記ネットワークから切り離されたことが検知された場合、設定されている前記優先接続先を解除することを特徴とする請求項９に記載の呼接続サーバ。
【請求項１１】
前記ＩＰ電話端末は、前記自営基地局装置を通じて、前記ネットワークに対しＩＰパケットを送受し、
前記記憶部は、前記ＩＰ電話端末の電話番号を利用するユーザを識別するユーザ識別子と前記ユーザ識別子に対応付けられるパスワードとをさらに前記ＩＰ電話端末の電話番号と関連付けて記憶し、
前記登録情報受信部は、前記ユーザ識別子と前記パスワードとをさらに前記携帯端末装置から受信し、
前記認証部は、受信した前記端末識別子と前記ユーザ識別子と前記パスワードとに基づいて、前記携帯端末装置を認証することを特徴とする請求項９又は１０に記載の呼接続サーバ。
【請求項１２】
.ネットワークに接続可能な自営基地局装置と、
一般無線基地局又は前記自営基地局装置との無線通信を通じて前記ネットワークに接続可能な携帯端末装置と、
前記ネットワークに対してＩＰパケットの送受による通話が可能なＩＰ電話端末と、
前記ＩＰ電話端末の電話番号に関連付けられている該ＩＰ電話端末の接続先アドレスに基づいて該ＩＰ電話端末の電話番号に対する呼を該ＩＰ電話端末又は前記携帯端末装置に接続する呼接続サーバと
を具備する通信システムにおいて、
前記呼接続サーバによって、前記接続先アドレスに基づいて、前記ＩＰ電話端末の電話番号に対する呼が接続される携帯端末装置であって、
前記呼接続サーバは、前記携帯端末装置を識別する端末識別子と、前記携帯端末装置が現在接続されている自営基地局装置の前記ネットワークの位置を特定する端末位置アドレスとを前記端末装置から受信し、受信した前記端末位置アドレスと前記ＩＰ電話端末の電話番号とを対応付け、前記端末位置アドレスを前記接続先アドレスに優先する優先接続先として設定するように構成されており、
前記携帯端末装置は、前記ネットワークに接続された場合、前記端末識別子と前記端末位置アドレスとを前記呼接続サーバに送信する登録情報送信部を備えることを特徴とする携帯端末装置。
【請求項１３】
前記携帯端末装置は、前記登録情報送信部による読み出しのみが可能に前記端末識別子を記憶する端末識別子記憶部をさらに備え、
前記登録情報送信部は、前記端末識別子記憶部から読み出した前記端末識別子を前記呼接続サーバに送信することを特徴とする請求項１２に記載の携帯端末装置。
【請求項１４】
前記ＩＰ電話端末は、前記自営基地局装置を通じて、前記ネットワークに対しＩＰパケットを送受し、
前記呼接続サーバは、前記端末識別子と前記ＩＰ電話端末の電話番号を利用するユーザを識別するユーザ識別子と前記ユーザ識別子とに基づいて、前記携帯端末装置を認証するように構成されており、
前記携帯端末装置は、前記ユーザ識別子と前記パスワードとを記憶するユーザ情報記憶部をさらに備え、
前記登録情報送信部は、前記端末識別子と前記ユーザ情報記憶部に記憶されている前記ユーザ識別子及び前記パスワードとを前記呼接続サーバに送信することを特徴とする請求項１２又は１３に記載の携帯端末装置。
【請求項１５】
前記携帯端末装置と前記一般無線基地局との間の無線通信で使用されるプロトコルと同一のプロトコルを用いて、該携帯端末装置は、前記自営基地局装置と無線通信が可能であることを特徴とする請求項１２乃至１４のいずれかに記載の携帯端末装置。
【請求項１６】
前記携帯端末装置及び前記自営基地局装置は、
上記プロトコルを用いた無線通信用の第１の通信インターフェースと、
近距離通信用の第２の通信インターフェースと、
ユーザの操作により、前記第１の通信インターフェース及び前記第２の通信インターフェースを切り替える切替手段と
を備えることを特徴とする請求項１５に記載の携帯端末装置。
【請求項１７】
前記自営基地局装置は、コンピュータに着脱可能なアダプタ部と、
前記携帯端末装置に対する無線通信用の通信アンテナ部と
を備えることを特徴とする請求項１５又は１６に記載の携帯端末装置。
【請求項１８】
.ネットワークに接続可能な自営基地局装置と、
一般無線基地局又は前記自営基地局装置との無線通信を通じて前記ネットワークに接続可能な携帯端末装置と、
前記ネットワークに対してＩＰパケットの送受による通話が可能なＩＰ電話端末と、
前記ネットワークに接続可能な呼接続サーバと
を具備する通信システムにおいて、
前記接続先アドレスに基づいて前記ＩＰ電話端末の電話番号に対する呼を前記該ＩＰ電話端末又は前記携帯端末装置に接続する呼接続サーバとを用いた通信方法であって、
前記呼接続サーバは、前記ＩＰ電話端末の電話番号と前記接続先アドレスと前記端末識別子とを関連付けて記憶しておき、
前記携帯端末装置が前記呼接続サーバと通信可能なネットワークに接続された場合、前記呼接続サーバが、前記携帯端末装置を識別する端末識別子と前記携帯端末装置が現在接続されている自営基地局装置の前記ネットワーク上の位置を特定する端末位置アドレスとを前記携帯端末装置から受信するステップ（Ａ）と、
前記呼接続サーバが、受信した前記端末識別子と記憶されている前記端末識別子とに基づいて前記携帯端末装置を認証するステップ（Ｂ）と、
前記ステップ（Ｂ）において前記携帯端末装置が認証された場合、前記呼接続サーバが、受信した前記端末位置アドレスと前記端末識別子に関連付けられて記憶されている前記ＩＰ電話端末の電話番号とを対応付けるとともに、前記端末位置アドレスを前記接続先アドレスに優先する優先接続先として設定するステップ（Ｃ）と、
前記優先接続先が設定されている場合、前記呼接続サーバが、前記端末位置アドレスに基づいて前記呼を前記携帯端末装置に接続するステップ（Ｄ）と
を有することを特徴とする通信方法。
【請求項１９】
前記呼接続サーバが、前記携帯端末装置が前記ネットワークから切り離されたことを検知するステップ（Ｅ）と、
前記ステップ（Ｅ）において前記携帯端末装置が前記ネットワークから切り離されたことが検知された場合、前記サーバが、前記ステップ（Ｃ）において設定された前記優先設定先を解除するステップ（Ｆ）と
をさらに有することを特徴とする請求項１８に記載の通信方法。
【請求項２０】
前記ＩＰ電話端末は、前記自営基地局装置を通じて、前記ネットワークに対しＩＰパケットを送受し、
前記ＩＰ電話端末の電話番号を利用するユーザを識別するユーザ識別子と前記ユーザ識別子に対応付けられるパスワードとをさらに前記ＩＰ電話端末の電話番号と関連付けて記憶しておき、
前記ステップ（Ａ）では、前記呼接続サーバが前記ユーザ識別子と前記パスワードとをさらに前記呼接続サーバから受信し、
前記ステップ（Ｂ）では、前記呼接続サーバが、受信した前記端末識別子と前記ユーザ識別子と前記パスワードとに基づいて、前記携帯端末装置を認証することを特徴とする請求項１８又は１９に記載の通信方法。
【請求項２１】
前記ステップ（Ａ）では、前記携帯端末装置の内部に記憶され、読み出しのみが可能な前記端末識別子を、前記呼接続サーバが前記携帯端末装置から受信することを特徴とする請求項１８乃至２０のいずれかに記載の通信方法。
【請求項２２】
前記ステップ（Ａ）では、前記携帯端末装置の内部に記憶されている前記ユーザ識別子と前記パスワードとを、前記呼接続サーバが前記携帯端末装置から受信することを特徴とする請求項１８乃至２１のいずれかに記載の通信方法。
【請求項２３】
前記ステップ（Ａ）において、前記携帯端末装置は、前記一般無線基地局に対する無線通信で使用されるプロトコルと同一のプロトコルを用いて、前記自営基地局装置と無線通信を確立し、前記ネットワークに接続することを特徴とする請求項１８乃至２２のいずれかに記載の通信方法。
【発明の詳細な説明】
【技術分野】
【０００１】
本発明は、音声通信サービスを提供するための通信システム等、特にIP電話方式における呼を所定の接続先に接続するための通信システム、呼接続サーバ、端末装置及び通信方法に関する。
【背景技術】
【０００２】
通信技術の進展に伴い、従来の加入電話サービス（POTS）と同等の機能を具備するIP電話サービスの提供が開始されている。
【０００３】
このようなIP電話サービスにおいては、IP電話サービスのユーザと加入電話サービス等のユーザとの通信を提供するため、IP電話サービスのネットワークと加入電話サービスのネットワークとは相互に接続されている。従って、ユーザが両サービスを利用している場合、例えばIP電話サービスにおいて割り当てられている電話番号に対する呼を加入電話サービスにおいて割り当てられている電話番号宛に転送させることができる。
【０００４】
また、IP電話サービスでは、IPパケットを転送可能なネットワーク（IPネットワーク）上の任意の場所において、ユーザは、IP電話サービスを利用するための機能を具備する端末装置（IP電話端末）もしくは当該機能が搭載されているパーソナル・コンピュータを接続し、通信を行うことができる。
【発明の概要】
【発明が解決しようとする課題】
【０００５】
しかしながら、当該ネットワークの任意の場所に接続されている端末装置等に呼を接続させるためには、ユーザは、例えばIETF RFC2543によって規定されるSIP(Session Initiation Protocol)のリダイレクトモードを利用し、IPネットワーク上において呼の接続を実行する呼接続サーバに記憶されている端末装置のIPアドレス等の情報を予め変更しなければならないという問題があった。また、一般的に当該情報の変更は、ユーザIDとパスワードとによって許可されるが、ユーザIDとパスワードとは、不正に取得され易いという問題があった。
【０００６】
さらに、上述したような呼の転送を実現するためには、ユーザは、端末装置の接続の都度、転送先の情報を呼接続サーバが参照するデータベースにWebサイト等を介して変更しなければならないという問題があった。
【０００７】
本発明は、このような問題に鑑みてなされたもので、端末装置から当該端末装置を識別する情報および当該ネットワーク上の位置を示す情報を自動的に送信させ、この送信された情報に基づいて呼接続サーバの情報を変更することにより所定の電話番号に対する呼を当該端末装置に接続することができる通信システム、呼接続サーバ、端末装置及び通信方法を提供することをその目的とする。
【課題を解決するための手段】
【０００８】
本発明の第１の特徴は、ネットワークに接続可能な自営基地局装置と、一般無線基地局又は自営基地局装置との無線通信を通じてネットワークに接続可能な携帯端末装置と、ネットワークに対してＩＰパケットの送受による通話が可能なＩＰ電話端末と、ＩＰ電話端末の電話番号に関連付けられている該ＩＰ電話端末の接続先アドレスに基づいて該ＩＰ電話端末の電話番号に対する呼を該ＩＰ電話端末又は携帯端末装置に接続する呼接続サーバとを具備する通信システムであって、携帯端末装置は、呼接続サーバと通信可能なネットワークに接続された場合、携帯端末装置を識別する端末識別子と携帯端末装置が現在接続されている自営基地局装置のネットワーク上の位置を特定する端末位置アドレスとを呼接続サーバに送信する登録情報送信部を備え、呼接続サーバは、ＩＰ電話端末の電話番号と接続先アドレスと端末識別子とを関連付けて記憶する記憶部と、端末識別子と端末位置アドレスとを受信する登録情報受信部と、受信した端末識別子と記憶部に記憶されている端末識別子とに基づいて携帯端末装置を認証する認証部と、認証部によって携帯端末装置が認証された場合、受信した端末位置アドレスと端末識別子に関連付けられて記憶部に記憶されているＩＰ電話端末の電話番号とを対応付けるとともに、端末位置アドレスを接続先アドレスに優先する優先接続先として設定する優先接続先設定部と、優先接続先が設定されている場合、端末位置アドレスに基づいて呼を携帯端末装置に接続する呼接続部とを備えることを要旨とする。
【０００９】
かかる特徴によれば、端末装置によって送信された端末位置アドレスに基づいて、ＩＰ電話端末の電話番号に対する呼が端末装置に接続されるため、ユーザは、当該ＩＰ電話端末の電話番号に対する呼に携帯端末装置を用いて応答することができる。
【００１０】
かかる特徴によれば、端末装置によって送信された端末位置アドレスが、接続先アドレスに優先する優先接続先として自動的に設定されるため、ユーザの手動による接続先アドレスの変更を回避することができる。
【００１１】
かかる特徴によれば、端末装置から送信された端末識別子と記憶部に記憶されている端末識別子とに基づいて端末装置を認証するため、ユーザIDとパスワードとを用いずに当該端末装置に対するサービスの提供可否を判定することができる。
【００１２】
本発明の第２の特徴は、本発明の第１の特徴において、呼接続サーバは、携帯端末装置がネットワークから切り離されたことを検知する検知部をさらに備え、優先接続先設定部は、検知部によって携帯端末装置がネットワークから切り離されたことが検知された場合、設定されている優先接続先を解除することを要旨とする。
【００１３】
かかる特徴によれば、検知部によって端末装置がネットワークから切り離されたことが検知された場合、設定されている優先接続先が解除されるため、呼接続サーバは、端末装置がネットワークから切り離されている場合には、記憶部に予め記憶されている接続先アドレスに基づいて携帯端末装置の電話番号に対する呼を接続することができる。
【００１４】
本発明の第３の特徴は、本発明の第１の特徴において、前記ＩＰ電話端末は、前記自営基地局装置を通じて、前記ネットワークに対しＩＰパケットを送受し、記憶部は、ＩＰ電話端末の電話番号を利用するユーザを識別するユーザ識別子とユーザ識別子に対応付けられるパスワードとをさらにＩＰ電話端末の電話番号と関連付けて記憶し、登録情報送信部は、ユーザ識別子とパスワードとをさらに呼接続サーバに送信し、登録情報受信部は、ユーザ識別子とパスワードとをさらに受信し、認証部は、受信した端末識別子とユーザ識別子とパスワードとに基づいて、携帯端末装置を認証することを要旨とする。
【００１５】
かかる特徴によれば、端末装置から送信された端末識別子に加え、ユーザ識別子とパスワードとに基づいて端末装置を認証するため、不正なサービスの利用に対するセキュリティを向上させることができる。
【００１６】
本発明の第４の特徴は、本発明の第１の特徴において、携帯端末装置は、登録情報送信部による読み出しのみが可能に端末識別子を記憶する端末識別子記憶部をさらに備え、登録情報送信部は、端末識別子記憶部から読み出した端末識別子を呼接続サーバに送信することを要旨とする。
【００１７】
かかる特徴によれば、端末装置が端末識別子の読み出しのみが可能な端末識別子記憶部をさらに備え、登録情報送信部が端末識別子記憶部から読み出した端末識別子を送信するため、ユーザ等による端末識別子の変更を防止することができ、不正なサービスの利用に対するセキュリティを向上させることができる。
【００１８】
本発明の第５の特徴は、本発明の第３の特徴において、携帯端末装置は、ユーザ識別子とパスワードとを記憶するユーザ情報記憶部をさらに備え、登録情報送信部は、端末識別子とユーザ情報記憶部に記憶されているユーザ識別子及びパスワードとを呼接続サーバに送信することを要旨とする。
【００１９】
かかる特徴によれば、端末装置がユーザ識別子とパスワードとを記憶するユーザ情報記憶部をさらに備え、登録情報送信部が端末識別子とユーザ情報記憶部に記憶されているユーザ識別子及びパスワードとを送信するため、ユーザによるユーザ識別子及びパスワードの接続毎の入力を回避することができる。
【００２０】
本発明の第６の特徴は、本発明の第１の特徴において、携帯端末装置と一般無線基地局との間の無線通信で使用されるプロトコルと同一のプロトコルを用いて、該携帯端末装置は、自営基地局装置と無線通信が可能であることを要旨とする。
【００２１】
かかる特徴によれば、携帯端末装置により、一般無線基地局と、自営基地局装置との両者に対して、同一のプロトコルによりネットワークへのアクセスが可能となり、ユーザは、いずれの基地局と通信するのかを考慮することなく、操作をすることができる。
【００２２】
本発明の第７の特徴は、本発明の第６の特徴において、携帯端末装置及び自営基地局装置は、上記プロトコルを用いた無線通信用の第１の通信インターフェースと、近距離通信用の第２の通信インターフェースと、ユーザの操作により、第１の通信インターフェース及び第２の通信インターフェースを切り替える切替手段とを備えることを要旨とする。
【００２３】
かかる特徴によれば、一般無線基地局と同様のプロトコルによる無線通信と、無線LAN等の近距離無線通信とを使い分けることができ、通信環境に応じた操作が可能となる。
【００２４】
本発明の第８の特徴は、本発明の第７の特徴において、自営基地局装置は、コンピュータに着脱可能なアダプタ部と、携帯端末装置に対する無線通信用の通信アンテナ部とを備えることを要旨とする。
【００２５】
かかる特徴によれば、自営基地局装置を携帯することにより、例えば海外など、一般無線基地局の電波が届かない場所であっても、ネットワークに接続できるパーソナル・コンピュータがあれば、自営のＰＨＳアンテナ局を構築することができ、通常と同様の操作により、本システムを利用することができる。
【００２６】
本発明の第９の特徴は、ネットワークに接続可能な自営基地局装置と、一般無線基地局又は自営基地局装置との無線通信を通じてネットワークに接続可能な携帯端末装置と、ネットワークに対してＩＰパケットの送受による通話が可能なＩＰ電話端末とを具備する通信システムにおいて、ＩＰ電話端末の電話番号に関連付けられている該ＩＰ電話端末の接続先アドレスに基づいて、該ＩＰ電話端末の電話番号に対する呼を該ＩＰ電話端末又は携帯端末装置に接続する呼接続サーバであって、ＩＰ電話端の電話番号と接続先アドレスと携帯端末装置を識別する端末識別子とを関連付けて記憶する記憶部と、携帯端末装置が呼接続サーバと通信可能なネットワークに接続された場合、携帯端末装置を識別する端末識別子と携帯端末装置が接続されているネットワーク上の位置を特定する端末位置アドレスとを携帯端末装置から受信する登録情報受信部と、受信した端末識別子と記憶部に記憶されている端末識別子とに基づいて携帯端末装置を認証する認証部と、認証部によって携帯端末装置が認証された場合、受信した端末位置アドレスと端末識別子と関連付けられて記憶部に記憶されているＩＰ電話端末の電話番号とを対応付けるとともに、端末位置アドレスを接続先アドレスに優先する優先接続先として設定する優先接続先設定部と、優先接続先が設定されている場合、端末位置アドレスに基づいて呼を携帯端末装置に接続する呼接続部とを備えることを要旨とする。
【００２７】
本発明の第１０の特徴は、本発明の第９の特徴において、携帯端末装置がネットワークから切り離されたことを検知する検知部をさらに備え、優先接続先設定部は、検知部によって携帯端末装置がネットワークから切り離されたことが検知された場合、設定されている優先接続先を解除することを要旨とする。
【００２８】
本発明の第１１の特徴は、本発明の第９の特徴において、前記ＩＰ電話端末は、前記自営基地局装置を通じて、前記ネットワークに対しＩＰパケットを送受し、記憶部は、ＩＰ電話端末の電話番号を利用するユーザを識別するユーザ識別子とユーザ識別子に対応付けられるパスワードとをさらにＩＰ電話端末の電話番号と関連付けて記憶し、登録情報受信部は、ユーザ識別子とパスワードとをさらに携帯端末装置から受信し、認証部は、受信した端末識別子とユーザ識別子とパスワードとに基づいて、携帯端末装置を認証することを要旨とする。
【００２９】
本発明の第１２の特徴は、ネットワークに接続可能な自営基地局装置と、一般無線基地局又は自営基地局装置との無線通信を通じてネットワークに接続可能な携帯端末装置と、ネットワークに対してＩＰパケットの送受による通話が可能なＩＰ電話端末と、ＩＰ電話端末の電話番号に関連付けられている該ＩＰ電話端末の接続先アドレスに基づいて該ＩＰ電話端末の電話番号に対する呼を該ＩＰ電話端末又は携帯端末装置に接続する呼接続サーバとを具備する通信システムにおいて、呼接続サーバによって、接続先アドレスに基づいて、ＩＰ電話端末の電話番号に対する呼が接続される携帯端末装置であって、呼接続サーバは、携帯端末装置を識別する端末識別子と、携帯端末装置が現在接続されている自営基地局装置のネットワークの位置を特定する端末位置アドレスとを端末装置から受信し、受信した端末位置アドレスとＩＰ電話端末の電話番号とを対応付け、端末位置アドレスを接続先アドレスに優先する優先接続先として設定するように構成されており、携帯端末装置は、ネットワークに接続された場合、端末識別子と端末位置アドレスとを呼接続サーバに送信する登録情報送信部を備えることを要旨とする。
【００３０】
本発明の第１３の特徴は、本発明の第１２の特徴において、携帯端末装置は、登録情報送信部による読み出しのみが可能に端末識別子を記憶する端末識別子記憶部をさらに備え、登録情報送信部は、端末識別子記憶部から読み出した端末識別子を呼接続サーバに送信することを要旨とする。
【００３１】
本発明の第１４の特徴は、本発明の第１２の特徴において、前記ＩＰ電話端末は、前記自営基地局装置を通じて、前記ネットワークに対しＩＰパケットを送受し、呼接続サーバは、端末識別子とＩＰ電話端末の電話番号を利用するユーザを識別するユーザ識別子とユーザ識別子とに基づいて、携帯端末装置を認証するように構成されており、携帯端末装置は、ユーザ識別子とパスワードとを記憶するユーザ情報記憶部をさらに備え、登録情報送信部は、端末識別子とユーザ情報記憶部に記憶されているユーザ識別子及びパスワードとを呼接続サーバに送信することを要旨とする。
【００３２】
本発明の１５の特徴は、本発明の第１２の特徴において、携帯端末装置と一般無線基地局との間の無線通信で使用されるプロトコルと同一のプロトコルを用いて、携帯端末装置は、自営基地局装置と無線通信が可能であることを要旨とする。
【００３３】
本発明の第１６の特徴は、本発明の第１５の特徴において、携帯端末装置及び自営基地局装置は、上記プロトコルを用いた無線通信用の第１の通信インターフェースと、近距離通信用の第２の通信インターフェースと、ユーザの操作により、第１の通信インターフェース及び第２の通信インターフェースを切り替える切替手段とを備えることを要旨とする。
【００３４】
本発明の第１７の特徴は、本発明の第１５の特徴において、自営基地局装置は、コンピュータに着脱可能なアダプタ部と、携帯端末装置に対する無線通信用の通信アンテナ部とを備えることを要旨とする。
【００３５】
本発明の第１８の特徴は、ネットワークに接続可能な自営基地局装置と、一般無線基地局又は自営基地局装置との無線通信を通じてネットワークに接続可能な携帯端末装置と、ネットワークに対してＩＰパケットの送受による通話が可能なＩＰ電話端末と、ネットワークに接続可能な呼接続サーバとを具備する通信システムにおいて、接続先アドレスに基づいてＩＰ電話端末の電話番号に対する呼を該ＩＰ電話端末又は携帯端末装置に接続する呼接続サーバとを用いた通信方法であって、呼接続サーバは、ＩＰ電話端末の電話番号と接続先アドレスと端末識別子とを関連付けて記憶しておき、携帯端末装置が呼接続サーバと通信可能なネットワークに接続された場合、呼接続サーバが、携帯端末装置を識別する端末識別子と携帯端末装置が現在接続されている自営基地局装置のネットワーク上の位置を特定する端末位置アドレスとを携帯端末装置から受信するステップ（Ａ）と、呼接続サーバが、受信した端末識別子と記憶されている端末識別子とに基づいて携帯端末装置を認証するステップ（Ｂ）と、ステップ（Ｂ）において携帯端末装置が認証された場合、呼接続サーバが、受信した端末位置アドレスと端末識別子に関連付けられて記憶されているＩＰ電話端末の電話番号とを対応付けるとともに、端末位置アドレスを接続先アドレスに優先する優先接続先として設定するステップ（Ｃ）と、優先接続先が設定されている場合、呼接続サーバが、端末位置アドレスに基づいて呼を携帯端末装置に接続するステップ（Ｄ）とを有することを特徴とする通信方法。
（請求項１９）
呼接続サーバが、携帯端末装置がネットワークから切り離されたことを検知するステップ（Ｅ）と、ステップ（Ｅ）において携帯端末装置がネットワークから切り離されたことが検知された場合、サーバが、ステップ（Ｃ）において設定された優先設定先を解除するステップ（Ｆ）とをさらに有することを要旨とする。
【００３６】
本発明の第１９の特徴は、本発明の第１８の特徴において、  呼接続サーバが、携帯端末装置がネットワークから切り離されたことを検知するステップ（Ｅ）と、ステップ（Ｅ）において携帯端末装置がネットワークから切り離されたことが検知された場合、サーバが、ステップ（Ｃ）において設定された優先設定先を解除するステップ（Ｆ）とをさらに有することを要旨とする。
【００３７】
本発明の第２０の特徴は、本発明の第１８の特徴において、前記ＩＰ電話端末は、前記自営基地局装置を通じて、前記ネットワークに対しＩＰパケットを送受し、ＩＰ電話端末の電話番号を利用するユーザを識別するユーザ識別子とユーザ識別子に対応付けられるパスワードとをさらにＩＰ電話端末の電話番号と関連付けて記憶しておき、ステップ（Ａ）では、呼接続サーバがユーザ識別子とパスワードとをさらに呼接続サーバから受信し、ステップ（Ｂ）では、呼接続サーバが、受信した端末識別子とユーザ識別子とパスワードとに基づいて、携帯端末装置を認証することを要旨とする。
【００３８】
本発明の第２１の特徴は、本発明の第１８の特徴において、ステップ（Ａ）では、携帯端末装置の内部に記憶され、読み出しのみが可能な端末識別子を、呼接続サーバが携帯端末装置から受信することを要旨とする。
【００３９】
本発明の第２２の特徴は、本発明の第２０の特徴において、ステップ（Ａ）では、携帯端末装置の内部に記憶されているユーザ識別子とパスワードとを、呼接続サーバが携帯端末装置から受信することを要旨とする。
【００４０】
本発明の第２３の特徴は、本発明の第１８の特徴において、ステップ（Ａ）において、携帯端末装置は、一般無線基地局に対する無線通信で使用されるプロトコルと同一のプロトコルを用いて、自営基地局装置と無線通信を確立し、ネットワークに接続することを要旨とする。
【図面の簡単な説明】
【００４１】
【図１】図１は、第１実施形態に係る通信システムを含むネットワーク構成を示す図である。
【図２】図２は、第１実施形態に係る端末装置の機能ブロック構成を示す図である。
【図３】図３は、第１実施形態に係る呼接続サーバの機能ブロック構成を示す図である。
【図４】図４は、第１実施形態に係るデータベースの構成例を示す図である。
【図５】図５は、第１実施形態に係る通信方法を示す図である。
【図６】図６は、第１実施形態において、端末装置がネットワークに接続された場合におけるデータベースの内容を示す図である。
【図７】図７は、第２実施形態に係る端末装置の構成を示す図である。
【図８】図８は、第２実施形態に係る端末装置の構成を示す図である。
【図９】図９は、第２実施形態に係る端末装置の機能ブロック構成を示す図である。
【図１０】図１０は、第２実施形態に係る通信システムを含むネットワーク構成を示す図である。
【図１１】図１１は、第２実施形態において、端末装置がネットワークに接続された場合におけるデータベースの内容を示す図である。
【発明を実施するための形態】
【００４２】
［第１実施形態］
（第１実施形態に係る通信システムを含むネットワーク構成）
本発明の第１実施形態について、図面を参照しながら説明する。図１は、本実施形態に係る通信システムを含むIP電話サービスのネットワークの概略構成図である。
【００４３】
図１に示すように、本実施形態では、呼の接続処理を実行するソフトウェアを搭載したパーソナル・コンピュータ７０ｕと、パーソナル・コンピュータ７０ｕと接続され、音声帯域信号のディジタル符号化等を実行する専用電話端末６０ｕとによって、端末装置を構成する。なお、パーソナル・コンピュータ７０ｕに代えて、呼の接続処理を実行するソフトウェアを搭載した携帯情報端末（PDA）を用いることもできる。
【００４４】
さらに、本実施形態では、呼の接続の処理及び音声帯域信号のディジタル符号化等を実行する専用ターミナルアダプタ８０ｕによって、パーソナル・コンピュータ７０ｕと同等の機能を提供することもできる。
【００４５】
専用ターミナルアダプタ８０ｕの特徴は、その大きさがCDのジャケット程度であり、小型かつ軽量のため持ち運びが容易なことである。さらに、パーソナル・コンピュータ７０ｕと比較して、専用ターミナルアダプタ８０ｕは、ソフトウェアの起動や操作を必要としないため、パーソナル・コンピュータ等を利用しないユーザも同様のサービスを利用することができる。なお、これ以降パーソナル・コンピュータ７０ｕを例として説明する。
【００４６】
パーソナル・コンピュータ７０ｕは、IPパケットを転送し、IP電話サービスを提供するためのネットワークであるIPネットワーク１の任意の場所において接続することができる。
【００４７】
また、IPネットワーク１には、VoIP(Voice over IP)技術を用いてIPパケットを送受するIP電話端末２１ｕ，２６が接続されている。IP電話端末２１ｕは、ユーザＵの自宅であるユーザ宅２０に設置されているものであり、電話番号[050-xxxx-]とIPアドレス[x.x.x.x]とが割り当てられている。また、IP電話端末２６は、他のユーザの自宅であるユーザ宅２５に設置されているものであり、電話番号[050-yyyy-]とIPアドレス[y.y.y.y]とが割り当てられている。また、IP電話端末に代えて、音声帯域信号とIPパケットとの変換を行うVoIPゲートウェイと音声帯域信号を送受する一般電話端末（アナログ電話端末）とを用いてもよい。
【００４８】
IPネットワーク１は、本実施形態では、所定の信号の変換を実行するゲートウェイ１Ｇを介して、回線交換方式を用いた電話サービスを提供するPSTN２と接続されている。PSTN２には、音声帯域信号を送受する一般電話端末３１が接続されている。一般電話端末３１は、ユーザＵのオフィス３０に設置されているものであり、電話番号[03-xxxx-]が割り当てられている。
【００４９】
さらに、IPネットワーク１は、本実施形態では、ゲートウェイ１Ｇを介して、移動電話サービスを提供する移動電話ネットワーク３と接続されている。移動電話ネットワーク３には、移動電話端末５１ｕ，５２が無線基地局３Ｂを介して接続されている。移動電話端末５１ｕは、ユーザＵの利用する移動電話端末であり、電話番号[090-xxxx-]が割り当てられている。また、移動電話端末５２は、IP電話端末２６が設置されているユーザ宅２５のユーザが利用する移動電話端末であり、電話番号[090-yyyy-]が割り当てられている。
【００５０】
また、本実施形態では、SIPサーバ１１と、データベースサーバ１２と、コールエージェント１３とによって、呼接続サーバを構成する。
【００５１】
SIPサーバ１１は、パーソナル・コンピュータ７０ｕに対する呼の接続等を実行するものである。また、SIPサーバ１１は、専用電話端末６０ｕがパーソナル・コンピュータ７０ｕを介してIPネットワーク１に接続された場合、IPアドレス等の呼の接続に必要な情報を取得し、データベースサーバ１２に送信するものである。
【００５２】
データベースサーバ１２は、IP電話サービスのユーザに関する情報や、電話番号と接続先アドレス（IPアドレス）とを関連付けて記憶するものである。
【００５３】
コールエージェント１３は、データベースサーバ１２に記憶されている情報に基づいて、呼の接続を実行するものである。なお、IPネットワーク１にパーソナル・コンピュータ７０ｕを介して接続されている専用電話端末６０ｕに対する呼の場合、コールエージェント１３は、SIPサーバ１１に呼の接続に必要なIPアドレス等の情報を送信することができる。なお、SIPサーバ１１と、データベースサーバ１２と、コールエージェント１３とのそれぞれが提供する機能は、一体のハードウェアにより実現することもできる。
【００５４】
（本発明の一実施形態に係る通信システムの動作概要）
次に、上述した本実施形態に係る通信システムの動作の概要について説明する。
【００５５】
例えば、ユーザ宅２５のユーザが、IP電話端末２６を用いてユーザ宅２０に設置されているユーザＵが利用するIP電話端末２１ｕに対して発呼した場合、まず、コールエージェント１３は、IP電話端末２１ｕに割り当てられている電話番号[050-xxxx-]をIPアドレス[y.y.y.y]とともにIP電話端末２６から受信する。次いで、コールエージェント１３は、受信した電話番号[050-xxxx-]に基づいて、データベースサーバ１２を参照する。
【００５６】
ここで、データベースサーバ１２には、例えば図４の電話番号テーブル１２５ａに示されている情報が記憶されている。コールエージェント１３は、電話番号テーブル１２５ａの「割当電話番号」に示されている[050-xxxx-]に基づいて、「接続先アドレス（優先順位１）」に示されているIPアドレス[x.x.x.x]を取得する。コールエージェント１３は、データベースサーバ１２から取得したIPアドレス[x.x.x.x]と、IP電話端末２６から受信したIPアドレス[y.y.y.y]に基づいて、IP電話端末２６とIP電話端末２１ｕとを接続する。
【００５７】
また、本実施形態に係るデータベースサーバ１２は、所定の電話番号に対する呼を転送する転送先の電話番号を記憶することができる。例えば、電話番号テーブル１２５ａにおいて、割当電話番号[050-xxxx-]には、上述した「接続先アドレス（優先順位１）」として記憶されているIPアドレス[x.x.x.x]に加え、「接続先アドレス（優先順位２）」として、ユーザＵがオフィス３０において利用する一般電話端末３１の電話番号[03-xxxx-]が記憶されている。さらに、割当電話番号[050-xxxx-]には、「接続先アドレス（優先順位３）」として、ユーザＵが利用する移動電話端末５１ｕの電話番号[090-xxxx-]が記憶されている。
【００５８】
ユーザＵは、インターネット等を介して、一般電話端末３１の電話番号や移動電話端末５１ｕの電話番号をデータベースサーバ１２に記憶させることができる。
【００５９】
コールエージェント１３は、データベースサーバ１２に複数の接続先アドレスが記憶されている場合、接続先アドレスの優先順位に基づいて、割当電話番号（[050-xxxx-]）に対する呼を接続することができる。
【００６０】
例えば、コールエージェント１３は、「接続先アドレス（優先順位１）」として記憶されているIPアドレス[x.x.x.x]に基づいて、IP電話端末２１ｕを呼び出すが、IP電話端末２１ｕがコールエージェント１３からの呼び出しに所定の時間内に応答しない場合、IP電話端末２１ｕに対する呼び出しを中止し、「接続先アドレス（優先順位２）」として記憶されている電話番号[03-xxxx-]に基づいて、一般電話端末３１を呼び出すことができる。また、データベースサーバ１２に記憶されている複数の「接続先アドレス」の優先順位は、ユーザＵが所定の情報をデータベースサーバ１２にさらに記憶させることにより、一日の時間帯によって変更してもよい。
【００６１】
データベースサーバ１２とコールエージェント１３とが、上述のように動作することにより、ユーザＵの存在する場所に応じて、ユーザＵの利用する電話番号[050-xxxx-]に対する呼を所定の電話端末に接続することができる。
【００６２】
さらに、本実施形態では、ユーザＵがパーソナル・コンピュータ７０ｕを介して専用電話端末６０ｕをIPネットワーク１に接続した場合、パーソナル・コンピュータ７０ｕに割り当てられたIPアドレスが、上述したデータベースサーバ１２に記憶されている「接続先アドレス」として、SIPサーバ１１を介して設定される。なお、具体的な「接続アドレス」の変更に係る手順については、後述する。
【００６３】
従って、ユーザＵは、例えば出張先等において、パーソナル・コンピュータ７０ｕを介して、専用電話端末６０ｕをIPネットワーク１に接続することにより、データベースサーバ１２に記憶されている「接続先アドレス」を自ら変更することなく、電話番号[050-xxxx-]に対する呼に対してパーソナル・コンピュータ７０ｕと専用電話端末６０ｕとを用いて応答することができる。
【００６４】
本実施形態に係る通信システムは、上述のように動作するため、ユーザＵが、同一の電話番号[050-xxxx-]が割り当てられたIP電話端末２１ｕと専用電話端末６０ｕとの２台の電話端末を「接続先アドレス」等の変更の操作をすることなく使い分けることを実現する。
【００６５】
（本発明の一実施形態に係る端末装置の構成）
次に、図２を参照して、本実施形態に係る専用電話端末６０ｕと、パーソナル・コンピュータ７０ｕとの機能ブロック構成について説明する。
【００６６】
図２に示すように、専用電話端末６０ｕは、入力キー部６１と、表示部６２と、音声信号入出力部６３と、信号処理部６４と、端末ID記憶部６５と、端末IF部６６とを有している。
【００６７】
入力キー部６１は、電話番号等の数字や所定の文字を入力するものである。入力キー部６１によって入力された数字や文字のデータは、信号処理部６４に送信される。
【００６８】
表示部６２は、入力キー部６１によって入力されたデータの内容や発信元の電話番号等を表示するものであり、信号処理部６４と接続されている。
【００６９】
音声信号入出力部６３は、マイクとスピーカを具備するとともに、音声帯域信号を信号処理部６４との間において送受するものである。
【００７０】
信号処理部６４は、音声信号入出力部６３との間において送受される音声帯域信号と所定の規格に基づくディジタル信号との変換を行うものである。また、信号処理部６４は、入力キー部６１及び表示部６２と接続され、電話番号等のデータを送受するものである。
【００７１】
信号処理部６４は、例えば、ITU-T G.729a/bに準拠したコーデック等により実現することができる。さらに、信号処理部６４は、ディジタル化された音声信号及び電話番号等のデータとIPパケットとの変換を行うとともに、端末IF部６６との間において、IPパケットを送受する。
【００７２】
端末ID記憶部６５は、専用電話端末６０ｕに割り当てられる端末ID（端末識別子）をパーソナル・コンピュータ７０ｕによる読み出しのみが可能に記憶するものである。
【００７３】
ここで、専用電話端末６０ｕに割り当てられる端末IDとは、専用電話端末６０ｕに固有の識別子である。本実施形態では、[Uxxxx-xxxx]の構成を有するシリアル番号が用いられ、専用電話端末６０ｕには、[U1234-5678]が割り当てられている。なお、当該端末IDは、データベースサーバ１２にユーザＵの利用する電話番号[050-xxxx-]と関連付けて記憶されている。また、端末IDは、[Uxxxx-xxxx]の構成を有するシリアル番号に代えて、専用電話端末６０ｕに割り当てられるMAC(Media Access Control)アドレスを用いてもよい。
【００７４】
また、当該シリアル番号は、不正なIP電話サービスの利用を目的とした内容の書き換えができないようにFLASH等に書き込まれる。従って、当該シリアル番号の変更を容易に変更することが困難となり、不正IP電話サービスの利用に対するセキュリティを向上させることができる。
【００７５】
端末IF部６６は、パーソナル・コンピュータ７０ｕと接続するためのインターフェースを具備するものである。例えば、端末IF部６６は、USB(Universal Serial Bus)やIEEE802.11等に準拠した無線LAN等により実現することができる。
【００７６】
パーソナル・コンピュータ７０ｕは、端末IF部７１と、ユーザ情報記憶部７２と、登録情報送信部７３と、接続処理部７４と、ネットワークIF部７５とを有している。
【００７７】
端末IF部７１は、専用電話端末６０ｕと接続するためのインターフェースを具備するものである。例えば、端末IF部７１は、USB(Universal Serial Bus)やIEEE802.11等に準拠した無線LANにより実現することができる。
【００７８】
ユーザ情報記憶部７２は、ユーザＵを識別するユーザID（ユーザ識別子）と、当該ユーザIDと対応付けられたパスワードとを記憶するものである。本実施形態では、ユーザＵのユーザID[user_a]と、このユーザIDに対応付けられたパスワードが記憶される。また、ユーザIDとパスワードは、ユーザＵの利用する電話番号[050-xxxx-]と関連付けられてデータベースサーバ１２に記憶されている。
【００７９】
パーソナル・コンピュータ７０ｕを介して専用電話端末６０ｕがIPネットワーク１に接続された場合、ユーザ情報記憶部７２に記憶されているユーザIDとパスワードとが端末ID等とともに自動的にSIPサーバ１１に対して送信されるため、接続の都度ユーザID等の情報をユーザＵが入力することを回避することができる。
【００８０】
登録情報送信部７３は、SIPサーバ１１と通信可能なIPネットワーク１にパーソナル・コンピュータ７０ｕを介して専用電話端末６０ｕが接続された場合、専用電話端末６０ｕを識別する端末IDと、パーソナル・コンピュータ７０ｕが接続されているIPネットワーク１の位置を特定する端末位置アドレス、すなわち、パーソナル・コンピュータ７０ｕがIPネットワーク１に接続されている箇所を特定するIPアドレス[x’.x’.x’.x’]とをSIPサーバ１１に送信するものである。
【００８１】
また、登録情報送信部７３は、ユーザＵのユーザIDとパスワードとを、さらにSIPサーバ１１に送信することもできる。なお、端末IDとIPアドレスに加え、ユーザIDとパスワードとをさらに送信するか否かは、確保すべきセキュリティのレベルに応じて決定すればよい。
【００８２】
接続処理部７４は、ネットワークIF部７５を介して、SIPサーバ１１との通信を行うものである。具体的には、接続処理部７４は、SIP(Session Initiation Protocol)に基づいて、上述した端末ID[U1234-5678]、IPアドレス[x’.x’.x’.x’]、ユーザID[user_a]及びパスワードをSIPサーバ１１に送信する。さらに、接続処理部７４は、送信したIPアドレス[x’.x’.x’.x’]がデータベースサーバ１２に登録された場合には、SIPサーバ１１から当該IPアドレスの登録有効期間を示す情報（SIPヘッダの”expires”パラメータ）を受信する。接続処理部７４は、受信した当該IPアドレスの登録有効期間を示す情報に基づいて、登録有効期間が経過する前にIPアドレス、ユーザID及びパスワードを再度SIPサーバ１１に送信し、データベースサーバ１２に当該IPアドレスを再登録させる。
【００８３】
また、接続処理部７４は、SIP(Session Initiation Protocol)に基づいて、SIPサーバ１１と、専用電話端末６０ｕ、すなわち、ユーザＵの利用する電話番号[050-xxxx-]に対する呼の接続を実行するものである。さらに、接続処理部７４は、専用電話端末６０ｕが端末IF部７１を介してパーソナル・コンピュータ７０ｕと接続されているかを定期的に確認する。専用電話端末６０ｕが端末IF部７１から切り離された場合、接続処理部７４は、その旨をSIPサーバ１１に通知する。
【００８４】
ネットワークIF部７５は、IPネットワーク１と接続可能なインターフェースを具備するものでものである。例えば、ネットワークIF部７５は、IEEE802.3uに準拠した100BASE-TX等のLANインターフェースにより実現することができる。なお、IPネットワーク１とパーソナル・コンピュータ７０ｕとの接続には、IPネットワーク１と接続されるアクセス回線の状況に応じて、ADSL(Asymmetric Digital Subscriber Line)モデム等を用いることもできる。
【００８５】
（本発明の一実施形態に係る呼接続サーバの構成）
次に、図３を参照して、本実施形態に係る呼接続サーバ、すなわち、SIPサーバ１１と、データベースサーバ１２と、コールエージェント１３との機能ブロック構成について説明する。
【００８６】
図３に示すように、SIPサーバ１１は、ネットワークIF部１１１と、登録情報受信部１１２と、通信部１１３と、呼接続部１１４と、端末接続検知部１１５とを有している。
【００８７】
ネットワークIF部１１１は、データベースサーバ１２と、コールエージェント１３と、IPネットワーク１とに接続するためのインターフェースを具備するものである。ネットワークIF部１１１は、100BASE-TXや1000BASE-TX等のLANインターフェースにより実現することができる。
【００８８】
登録情報受信部１１２は、専用電話端末６０ｕの端末ID[U1234-5678]と、パーソナル・コンピュータ７０ｕが接続されているIPネットワーク１の位置を示すIPアドレス[x’.x’.x’.x’]とを受信するものである。
【００８９】
また、登録情報受信部１１２は、端末ID[U1234-5678]とIPアドレス[x’.x’.x’.x’]とに加え、ユーザID[user_a]とパスワードとをさらに受信することができる。さらに、登録情報受信部１１２は、受信した端末ID[U1234-5678]と、IPアドレス[x’.x’.x’.x’]と、ユーザID[user_a]と、パスワードとをデータベースサーバ１２に送信する。
【００９０】
通信部１１３は、パーソナル・コンピュータ７０ｕとの間において、SIPに基づいて通信を行うものである。
【００９１】
具体的には、通信部１１３は、SIPに規定されている”REGISTER”メッセージ等を用いて、IPアドレス[x’.x’.x’.x’]、端末ID[U1234-5678]、ユーザID[user_a]及びパスワードをパーソナル・コンピュータ７０ｕまたは専用電話端末６０ｕから受信する。また、通信部１１３は、IPアドレス[x’.x’.x’.x’]がデータベースサーバ１２に登録された場合には、当該IPアドレスの登録有効期間を示す情報を含む応答をパーソナル・コンピュータ７０ｕに送信する。通信部１１３は、本実施形態では、SIPヘッダの”expires”パラメータにより、IPアドレス[x’.x’.x’.x’]の登録有効期間を任意に指定することができる。
【００９２】
呼接続部１１４は、コールエージェント１３からの通知に基づいて、ユーザＵの利用する電話番号[050-xxxx-]に対する呼をパーソナル・コンピュータ７０ｕに接続するものである。
【００９３】
端末接続検知部１１５は、IPネットワーク１に接続されているパーソナル・コンピュータ７０ｕから専用電話端末６０ｕがIPネットワーク１から切り離されたことを検知するものであり、本実施形態では、検知部を構成する。
【００９４】
具体的には、端末接続検知部１１５は、通信部１１３によってパーソナル・コンピュータ７０ｕに送信されたIPアドレス[x’.x’.x’.x’]の登録有効期間の経過してもパーソナル・コンピュータ７０ｕからの再登録がない場合、呼接続部１１４に対して専用電話端末６０ｕの呼び出しを指示する。専用電話端末６０ｕが、呼接続部１１４からの呼び出しに所定の時間内に応答しない場合、端末接続検知部１１５は、パーソナル・コンピュータ７０ｕがIPネットワーク１から切り離されたと判定する。
【００９５】
さらに、端末接続検知部１１５は、専用電話端末６０ｕが接続されていないと判定した場合、データベースサーバ１２に専用電話端末６０ｕがIPネットワーク１から切り離されたことを通知する。
【００９６】
データベースサーバ１２は、図３に示すように、ネットワークIF部１２１と、ユーザIF部１２２と、認証部１２３と、設定更新部１２４と、記憶部１２５とを有している。
【００９７】
ここで、まず図４を参照して、記憶部１２５の構成について説明する。記憶部１２５は、ユーザの利用する電話番号（[050-xxxx-]等）と、接続先アドレスと、端末識別子とを関連付けて記憶するものである。また、記憶部１２５は、[050-xxxx-]等の電話番号を利用するユーザを識別するユーザID（[user_a]等）と当該ユーザIDに対応付けられるパスワードとをさらに[050-xxxx-]等の電話番号と関連付けて記憶するものである。具体的には、記憶部１２５は、電話番号テーブル１２５ａと、端末IDテーブル１２５ｂとから構成されている。
【００９８】
電話番号テーブル１２５ａは、「割当電話番号」と、「ユーザID」と、「パスワード」と、「接続先アドレス（優先順位１〜５）」と、当該接続先アドレスがパーソナル・コンピュータ７０ｕに割り当てられたものであることを示す「LF」(Location Free)とから構成されている。
【００９９】
端末IDテーブル１２５ｂは、「割当電話番号」と「端末ID」とが関連付けられており、「割当電話番号」は、電話番号テーブル１２５ａの「割当電話番号」と対応している。
【０１００】
次に、図３を参照して、データベースサーバ１２を構成する他のブロックの機能について説明する。
【０１０１】
ネットワークIF部１２１は、SIPサーバ１１及びコールエージェント１３に接続するためのインターフェースを具備するものである。ネットワークIF部１２１は、100BASE-TXや1000BASE-TX等のLANインターフェースにより実現することができる
ユーザIF部１２２は、ユーザＵの利用する電話番号[050-xxxx-]に対する呼の転送先等をユーザＵが登録するためのインターフェースを提供するものである。例えば、ユーザIF部１２２は、インターネットに接続されるWebサーバによって実現することができる。ユーザIF部１２２は、設定更新部１２４を介して、ユーザＵから取得した電話番号等の情報を記憶部１２５に記憶させる。
【０１０２】
認証部１２３は、SIPサーバ１１によって受信された端末ID[U1234-5678]と、記憶部１２５（端末IDテーブル１２５ｂ）に記憶されている専用電話端末６０ｕの端末IDとに基づいて専用電話端末６０ｕを認証するものである。
【０１０３】
また、認証部１２３は、SIPサーバ１１によって受信された端末ID[U1234-5678]と、ユーザID[user_a]と、ユーザID[user_a]に対応付けられているパスワードとに基づいて、記憶部１２５（電話番号テーブル１２５ａ）に記憶されているユーザID[user_a]とパスワードとを確認することにより、専用電話端末６０ｕを認証することもできる。
【０１０４】
設定更新部１２４は、認証部１２３によって専用電話端末６０ｕが認証された場合、SIPサーバ１１によって受信されたIPアドレス[x’.x’.x’.x’]と、同じくSIPサーバ１１によって受信された端末ID[U1234-5678]に関連付けられて記憶部１２５（電話番号テーブル１２５ａ）に記憶されている電話番号[050-xxxx]とを対応付けるとともに、IPアドレス[x’.x’.x’.x’]を記憶部１２５（電話番号テーブル１２５ａ）に記憶されている「接続先アドレス」に優先する優先接続先として設定するものであり、本実施形態では優先接続先設定部を構成する。
【０１０５】
ここで、図６は、設定更新部１２４が上述した処理を実行した後の記憶部１２５（電話番号テーブル１２５ａ）の内容を示している。上述したように、電話番号[050-xxxx-]と関連付けられている「接続先アドレス（優先順位１）」にパーソナル・コンピュータ７０ｕに割り当てられたIPアドレス[x’.x’.x’.x’]が記憶されるとともに、パーソナル・コンピュータ７０ｕに割り当てられたIPアドレスであることを示す「LF」に[1]が記憶される。
【０１０６】
一方、図４に示すように、上述の処理が完了するまで「接続先アドレス（優先順位１）」に記憶されていたIP電話端末２１ｕのIPアドレス[x.x.x.x]は、「接続先アドレス（優先順位２）」に記憶される。また、電話番号[03-xxxx-]及び[090-xxxx-]についても同様に優先順位が繰り下がる。
【０１０７】
さらに、設定更新部１２４は、SIPサーバ１１の端末接続検知部１１５によって専用電話端末６０ｕがIPネットワーク１から切り離されたことが検知された場合、設定されている優先接続先、すなわちIPアドレス[x’.x’.x’x’]を解除する。具体的には、端末接続検知部１１５から専用電話端末６０ｕがIPネットワーク１から切り離されたことが通知された場合、設定更新部１２４は、電話番号[050-xxxx-]に関する記憶部１２５（電話番号テーブル１２５ａ）の内容を図４に示す状態に戻す。
【０１０８】
SIPサーバ１１及びデータベースサーバ１２が上述のように動作することにより、専用電話端末６０ｕがIPネットワーク１から切り離された場合には、予め記憶部１２５に記憶されている「接続先アドレス」の情報の基づいて電話番号[050-xxxx-]に対する呼を接続させることができる。なお、IPアドレス[x’.x’.x’.x’]は、専用電話端末６０ｕがIPネットワーク１から切り離された都度、消去してもよいし、再度同一のIPアドレスによって接続されることを考慮し、例えば一定期間記憶部１２５の所定の領域に記憶させておいてもよい。
【０１０９】
また、設定更新部１２４は、ユーザIF部１２２によって送信されたユーザＵから取得した電話番号等の情報等の内容を記憶部１２５（電話番号テーブル１２５ａ）に記憶させることができる。
【０１１０】
コールエージェント１３は、図３に示すように、ネットワークIF部１３１と、呼接続部１３２と、GW情報記憶部１３３とを有している。
【０１１１】
ネットワークIF部１３１は、SIPサーバ１１と、データベースサーバ１２と、IPネットワーク１とに接続するためのインターフェースを具備するものである。ネットワークIF部１３１は、100BASE-TXや1000BASE-TX等のLANインターフェースにより実現することができる。
【０１１２】
呼接続部１３２は、データベースサーバ１２の電話番号テーブル１２５ａに優先接続先、すなわちIPアドレス[x’.x’.x’.x’]が設定されている場合、IPアドレス[x’.x’.x’.x’]に基づいて電話番号[050-xxxx-]に対する呼を専用電話端末６０ｕに接続するものである。なお、本実施形態では、SIPサーバ１１の呼接続部１１４と呼接続部１３２とにより呼接続部を構成する。
【０１１３】
具体的には、呼接続部１３２は、電話番号[050-xxxx-]に対する呼を受信した場合、電話番号[050-xxxx-]に基づいて電話番号テーブル１２５ａに記憶されている内容を参照する。ここで、電話番号[050-xxxx-]と関連付けられている「接続先アドレス（優先順位１）」の「LF」に[1]が表示されている場合には、呼接続部１３２は、電話番号テーブル１２５ａに記憶されているIPアドレス[x’.x’.x’.x’]と、当該呼の送信元のIPアドレスとをSIPサーバ１１に送信する。
【０１１４】
また、呼接続部１３２は、電話番号テーブル１２５ａの「接続先アドレス」にゲートウェイ１Ｇを介して接続すべき電話番号、すなわち[03-xxxx-]や[090-xxxx-]等が記憶されている場合には、GW情報記憶部１３３に記憶されているそれぞれのゲートウェイ１ＧのIPアドレスに基づいて、当該呼をゲートウェイ１Ｇに接続する。
【０１１５】
GW情報記憶部１３３は、IPネットワーク１と、PSTN２または移動電話ネットワーク３を接続するゲートウェイ１ＧのIPアドレスと、当該ゲートウェイを介して接続すべき電話番号とを関連付けて記憶するものである。例えば、本実施形態では、PSTN２と接続されるゲートウェイ１ＧのIPアドレスと、[03]から始まる電話番号とが関連付けられて記憶される。
【０１１６】
（本発明の一実施形態に係る通信システムを用いた通信方法）
次に図５を参照して、本実施形態に係る通信システムを用いた通信方法について説明する。
【０１１７】
まず、IPネットワーク１に接続されているパーソナル・コンピュータ７０ｕに専用電話端末６０ｕが接続されると、パーソナル・コンピュータ７０ｕは、SIPの”REGISTER”メッセージを用いて、パーソナル・コンピュータ７０ｕに割り当てられているIPアドレス[x’.x’.x’.x’]をSIPサーバ１１に送信する（Ｓ１０）。”REGISTER”メッセージを受信したSIPサーバ１１は、MD5等のアルゴリズムに基づいて、チャレンジバリューを送信する（Ｓ２０）。
【０１１８】
チャレンジバリューを受信したパーソナル・コンピュータ７０ｕは、ユーザID[user_a]と、ユーザIDに対応付けられているパスワードと、専用電話端末６０ｕに記憶されている端末ID[U1234-5678]とに基づいて、MD5等のアルゴリズムにより計算した値をSIPサーバ１１に送信する（Ｓ３０）。
【０１１９】
次いで、SIPサーバ１１は、パーソナル・コンピュータ７０ｕから受信したユーザID[user_a]と、パスワードと、端末ID[U1234-5678]と、IPアドレス[x’.x’.x’.x’]とをデータベースサーバ１２に送信する（Ｓ４０）。
【０１２０】
データベースサーバ１２は、SIPサーバ１１から受信した情報とデータベースサーバ１２に記憶されている情報とに基づいて、専用電話端末６０ｕを認証するとともに、「接続先アドレス（優先順位１）」をIPアドレス[x’.x’.x’.x’]に変更する（Ｓ５０）。
【０１２１】
次いで、データベースサーバ１２は、専用電話端末６０ｕが認証され、「接続先アドレス（優先順位１）」の内容を更新したことをSIPサーバ１１に通知する（Ｓ６０）。
【０１２２】
SIPサーバ１１は、データベースサーバ１２からの通知に基づいて、登録が完了したことをパーソナル・コンピュータ７０ｕに通知する（Ｓ７０）。また、SIPサーバ１１は、SIPヘッダの”expires”パラメータにより、IPアドレス[x’.x’.x’.x’]の登録有効期間を含めて通知する。
【０１２３】
上述の処理が完了することにより、データベースサーバ１２に記憶されている電話番号[050-xxxx-]に関する情報は、図６に示すような内容に変更される。
【０１２４】
次に、さらに図５を参照して、専用電話端末６０ｕに対する呼の接続の処理について説明する。
【０１２５】
例えば、IP電話端末２６が、電話番号[050-xxxx-]に対して発呼した場合、コールエージェント１３は、当該電話番号とIP電話端末２６のIPアドレス[y.y.y.y]とをIP電話端末２６から受信する（Ｓ８０）。次いで、コールエージェント１３は、受信した電話番号[050-xxxx-]に基づいて、データベースサーバ１２に記憶されている内容を参照する（Ｓ９０）。ここで、コールエージェント１３は、電話番号[050-xxxx-]と関連付けられているIPアドレス[x’.x’.x’.x’]を取得するとともに、図６に示すように、「LF」に[1]が記憶されていることにより、パーソナル・コンピュータ７０ｕに割り当てられているIPアドレスであることを認識する（Ｓ１００）。
【０１２６】
そこで、コールエージェント１３は、IPアドレス[x’.x’.x’.x’]と、IP電話端末２６のIPアドレス[y.y.y.y]とをSIPサーバ１１に送信する（Ｓ１１０）。
【０１２７】
SIPサーバ１１は、コールエージェント１３から受信した情報に基づいて、IP電話端末２６からの呼を専用電話端末６０ｕに接続する（Ｓ１２０）。その後、IP電話端末２６と専用電話端末６０ｕとの間において通信が開始される（Ｓ１３０）。
【０１２８】
次に、IPネットワーク１に接続されているパーソナル・コンピュータ７０ｕから切り離された場合の処理について説明する。
【０１２９】
SIPサーバ１１は、ステップＳ７０においてパーソナル・コンピュータ７０ｕに通知したIPアドレス[x’.x’.x’.x’]の登録有効期間が経過しても、パーソナル・コンピュータ７０ｕから当該IPアドレスの再登録されない場合、パーソナル・コンピュータ７０ｕに接続されている専用電話端末６０ｕを呼び出す（Ｓ１４０）。
【０１３０】
SIPサーバ１１は、ステップＳ１４０の呼び出しに専用電話端末６０ｕが所定の時間内に応答しない場合、パーソナル・コンピュータ７０ｕがIPネットワーク１から切り離されたと判定する（Ｓ１５０）。
【０１３１】
なお、専用電話端末６０ｕのみがパーソナル・コンピュータ７０ｕから切り離された場合、パーソナル・コンピュータ７０ｕは、SIPに基づいて、専用電話端末６０ｕが切り離されたことをSIPサーバ１１に通知することもできる。
【０１３２】
SIPサーバ１１は、ステップＳ１５０による判定の結果、または専用電話端末６０ｕが切り離されたことを示すパーソナル・コンピュータ７０ｕからの通知に基づいて、データベースサーバ１２に専用電話端末６０ｕまたはパーソナル・コンピュータ７０ｕが切り離されたことを通知する（Ｓ１６０）。
【０１３３】
データベースサーバ１２は、SIPサーバ１１からの当該通知に基づいて、電話番号[050-xxxx-]に対する呼の優先接続先、すなわち電話番号[050-xxxx-]とIPアドレス[x’.x’.x’.x’]との関連付けを解除する（Ｓ１７０）。
【０１３４】
ステップＳ１７０の処理が完了することにより、データベースサーバ１２に記憶されている情報は、図４に示すような内容に変更される。
【０１３５】
（本実施形態に係る通信システム及び通信方法による作用・効果）
本実施形態に係る通信システム及び通信方法によれば、専用電話端末６０ｕによって送信されたIPアドレス[x’.x’.x’.x’]に基づいて、ユーザＵの電話番号[050-xxxx-]に対する呼が専用電話端末６０ｕに接続されるため、ユーザＵは、電話番号[050-xxxx-]に対する呼に専用電話端末６０ｕを用いて応答することができる。
【０１３６】
本実施形態によれば、パーソナル・コンピュータ７０ｕによって送信されたIPアドレス[x’.x’.x’.x’]が、データベースサーバ１２に予め記憶されている接続先アドレスに優先する優先接続先として自動的に設定されるため、ユーザＵの手動による接続先アドレスの変更を回避することができる。すなわち、ユーザＵは、同一の電話番号[050-xxxx-]が割り当てられたIP電話端末２１ｕと専用電話端末６０ｕとの２台の電話端末を「接続先アドレス」等の変更の操作をすることなく使い分けることができる。
【０１３７】
本実施形態によれば、専用電話端末６０ｕから送信された端末IDとデータベースサーバ１２に記憶されている端末IDとに基づいて専用電話端末６０ｕを認証するため、ユーザＵのユーザIDとパスワードとを用いずに専用電話端末６０ｕに対するサービスの提供可否を判定することができる。
【０１３８】
本実施形態によれば、SIPサーバ１１によって専用電話端末６０ｕがパーソナル・コンピュータ７０ｕから切り離されたこと、またはパーソナル・コンピュータ７０ｕがIPネットワーク１から切り離されたことが検知された場合、設定されている優先接続先が解除されるため、コールエージェント１３は、専用電話端末６０ｕまたはパーソナル・コンピュータ７０ｕがIPネットワーク１から切り離されている場合には、データベースサーバ１２に予め記憶されている接続先アドレスに基づいて電話番号[050-xxxx-]に対する呼を接続することができる。
【０１３９】
本実施形態によれば、専用電話端末６０ｕから送信された端末IDに加え、ユーザIDとパスワードとに基づいて専用電話端末６０ｕを認証するため、不正なサービスの利用に対するセキュリティを向上させることができる。
【０１４０】
本実施形態によれば、専用電話端末６０ｕが、端末IDの読み出しのみが可能な端末ID記憶部６５をさらに備え、登録情報送信部７３が、端末ID記憶部６５から読み出した端末IDを送信するため、ユーザ等による端末IDの変更を防止することができ、不正なサービスの利用に対するセキュリティを向上させることができる。
【０１４１】
本実施形態によれば、パーソナル・コンピュータ７０ｕが、ユーザIDとパスワードとを記憶するユーザ情報記憶部７２をさらに備え、登録情報送信部７３が端末IDとユーザ情報記憶部７２に記憶されているユーザID及びパスワードとを送信するため、ユーザＵによるユーザID及びパスワードの接続毎の入力を回避することができる。
【０１４２】
［第２実施形態］
次いで、第２実施形態について、図面を参照しながら説明する。本実施形態では、図７に示すように、上述した第１実施形態で説明した端末装置を、一般無線基地局３Ｂ又は自営基地局装置１００ｕとの無線通信を通じてIPネットワーク１に接続可能な携帯端末装置９０ｕと、IPネットワーク１に接続可能な自営基地局装置１００ｕとにより構成する。
【０１４３】
携帯端末装置９０ｕは、ユーザＵに携帯され、移動通信が可能なものであり、電話番号[070-xxxx-]が割り当てられているとともに、IPアドレス[x’.x’.x’.x’]が割り当てられている。この携帯端末装置９０ｕは、無線基地局３Ｂに対し、ＰＨＳ方式のプロトコルを使用して無線通信を行い、無線基地局３Ｂを介して、移動電話ネットワーク３からIPネットワーク１へのアクセスが可能であり、VoIP技術によって、IPネットワーク１を通じてのIP電話が可能となっている。
【０１４４】
また、この携帯端末装置９０ｕは、無線基地局３Ｂで使用されるプロトコルと同一のプロトコルであるＰＨＳ方式プロトコルを用いて、自営基地局装置１００ｕと無線通信が可能であり、自営基地局装置１００ｕを通じてIPネットワーク１にアクセスし、IPネットワーク１を介してのIP電話も可能である。さらに、携帯端末装置９０ｕは、IEEE802.11等の無線LANを通じても、自営基地局装置１００ｕに接続が可能であり、この無線LANを通じてのIP電話も可能である。このＰＨＳ方式と無線LAN方式の接続は、通信環境（電波状況等）に応じて自動的に、或いはユーザの操作に基づいて、切り替えられる。
【０１４５】
自営基地局装置１００ｕは、上述した専用ターミナルアダプタ８０ｕやIP電話端末２１ｕに、ＰＨＳ方式の自営基地局手段や無線LAN機能を付加したものであり、これに接続された電話機を用いてのIP電話が可能であるとともに、携帯端末装置９０ｕとの無線通信によるIP電話も可能な装置である。すなわち、本実施形態において、自営基地局装置１００ｕは、無線電波が届く所定値域内において、上述した無線基地局３Ｂと同様の機能を果たすものであり、これにより、ユーザＵは、無線基地局３Ｂからの電波が届かない場所であっても、自営基地局装置１００ｕを通じて、ＰＨＳ方式の通信を行うことができる。
【０１４６】
また、本実施形態に係る自営基地局装置１００ｕは、ＰＨＳ方式の無線通信と、無線LANの切替スイッチ１０１ａを備えており、ユーザのニーズに応じて、ＰＨＳ方式と、無線LANとを任意に切り替えることができる。
【０１４７】
なお、自営基地局装置１００ｕは、図８に示すように、上記自営基地局機能をアンテナアダプタ形式とし、これをパーソナル・コンピュータ７０ｕに差し込むことによって、パーソナル・コンピュータ７０ｕの機能と協動させて、構成するようにしてもよい。具体的には、コンピュータ７０ｕのカードスロットルやUSBスロットルに着脱可能なアダプタ形式とし、携帯端末装置９０ｕに対する無線通信用の通信アンテナ機能をパーソナル・コンピュータ７０ｕに追加する形態とする。
【０１４８】
次に、図９を参照して、本実施形態に係る携帯端末装置９０ｕと、自営基地局装置１００ｕとの機能ブロック構成について説明する。
【０１４９】
図９に示すように、携帯端末装置９０ｕは、入力キー部９１と、表示部９２と、音声信号入出力部９３と、信号処理部９４と、接続処理部９９とを有している。
【０１５０】
入力キー部９１は、電話番号等の数字や所定の文字を入力するものである。入力キー部９１によって入力された数字や文字のデータは、信号処理部９４に送信される。表示部９２は、入力キー部９１によって入力されたデータの内容や発信元の電話番号等を表示するものであり、信号処理部９４と接続されている。音声信号入出力部９３は、マイクとスピーカを具備するとともに、信号処理部９４との間において音声帯域信号を送受するものである。
【０１５１】
信号処理部９４は、音声信号入出力部９３との間において送受される音声帯域信号と所定の規格に基づくディジタル信号との変換を行うとともに、変換されたディジタル信号をIPパケットに変換を行うモジュールである。また、信号処理部９４は、入力キー部９１及び表示部９２と接続され、電話番号等のデータを送受する。なお、信号処理部９４は、例えば、ITU-T G.729a/bに準拠したコーデック等により実現することができる。さらに、信号処理部９４は、ディジタル化された音声信号及び電話番号等のデータとIPパケットとの変換を行う。
【０１５２】
接続処理部９９は、ＰＨＳ部９７を通じて、直接無線基地局３ｂに接続する場合に、SIPサーバ１１との通信を行うモジュールである。具体的には、接続処理部１０４は、SIP(Session Initiation Protocol)に基づいて、上述した端末ID[U1234-5678]、IPアドレス[x’.x’.x’.x’]、ユーザID[user_a]及びパスワードをSIPサーバ１１に送信する。さらに、接続処理部１０４は、送信したIPアドレス[x’.x’.x’.x’]がデータベースサーバ１２に登録された場合には、SIPサーバ１１から当該IPアドレスの登録有効期間を示す情報（SIPヘッダの”expires”パラメータ）を受信する。
【０１５３】
また、接続処理部９９は、受信した当該IPアドレスの登録有効期間を示す情報に基づいて、登録有効期間が経過する前にIPアドレス、ユーザID及びパスワードを再度SIPサーバ１１に送信し、データベースサーバ１２に当該IPアドレスを再登録させる。また、接続処理部９９は、直接無線基地局３ｂに接続する場合に、SIP(Session Initiation Protocol)に基づいて、SIPサーバ１１と、携帯端末装置９０ｕ、すなわち、ユーザＵの利用する電話番号[070-xxxx-]に対する呼の接続を実行する。
【０１５４】
さらに、携帯端末装置９０ｕは、登録情報送信部９５ａと、ユーザ情報記憶部９５ｂと、端末ID記憶部９５ｃとを有している。
【０１５５】
ユーザ情報記憶部９５ｂは、ユーザＵを識別するユーザID（ユーザ識別子）と、当該ユーザIDと対応付けられたパスワードとを記憶するものである。本実施形態では、ユーザＵのユーザID[user_a]と、このユーザIDに対応付けられたパスワードが記憶される。また、ユーザIDとパスワードは、ユーザＵの利用する電話番号[070-xxxx-]と関連付けられてデータベースサーバ１２に記憶されている。
【０１５６】
携帯端末装置９０ｕがIPネットワーク１に接続された場合、ユーザ情報記憶部９５ｂに記憶されているユーザIDとパスワードとが、端末ID等とともに自動的にSIPサーバ１１に対して送信されるため、接続の都度ユーザID等の情報をユーザＵが入力することを回避することができる。
【０１５７】
登録情報送信部９５ａは、SIPサーバ１１と通信可能なIPネットワーク１に、携帯端末装置９０ｕが接続された場合、携帯端末装置９０ｕを識別する端末IDと、IPネットワーク１の位置を特定する端末位置アドレス、すなわち、携帯端末装置９０ｕがIPネットワーク１に接続されている箇所を特定するIPアドレス[x’.x’.x’.x’]とをSIPサーバ１１に送信するものである。
【０１５８】
また、登録情報送信部９５ａは、ユーザＵのユーザIDとパスワードとを、さらにSIPサーバ１１に送信することもできる。なお、端末IDとIPアドレスに加え、ユーザIDとパスワードとをさらに送信するか否かは、確保すべきセキュリティのレベルに応じて決定すればよい。
【０１５９】
端末ID記憶部９５ｃは、携帯端末装置９０ｕに割り当てられる端末ID（端末識別子）を登録情報送信部９５ａに送出するための記憶メモリである。
【０１６０】
ここで、携帯端末装置９０ｕに割り当てられる端末IDとは、携帯端末装置９０ｕに固有の識別子である。本実施形態では、[Uxxxx-xxxx]の構成を有するシリアル番号が用いられ、携帯端末装置９０ｕには、[U1234-5678]が割り当てられている。なお、当該端末IDは、データベースサーバ１２にユーザＵの利用する電話番号[070-xxxx-]と関連付けて記憶されている。また、端末IDは、[Uxxxx-xxxx]の構成を有するシリアル番号に代えて、携帯端末装置９０ｕに割り当てられるMAC(Media Access Control)アドレスを用いてもよい。
【０１６１】
また、当該シリアル番号は、不正なIP電話サービスの利用を目的とした内容の書き換えができないようにFLASH等に書き込まれる。したがって、当該シリアル番号の変更を容易に変更することが困難となり、不正IP電話サービスの利用に対するセキュリティを向上させることができる。
【０１６２】
さらに、携帯端末装置９０ｕは、ＰＨＳ方式の通信プロトコルを用いて無線通信を行う通信インターフェースであるＰＨＳ部９７と、無線LAN等の近距離通信用の通信インターフェースである無線LAN部９８と、これらのＰＨＳ部９７と無線LAN部９８とを切り替えるための切替部９６とを備えている。
【０１６３】
ＰＨＳ部９７は、無線基地局３Ｂや、自営基地局装置１００ｕに備えられた自営ＰＨＳ部１０６との間で、ＰＨＳ方式のプロトコルを用いて無線通信を行うモジュールである。無線LAN部９８は、自営基地局１００ｕに備えられた無線LAN部１０７との間で、IEEE802.11等に準拠した方式により無線通信を行うモジュールである。切替部９６は、入力キー部９１を通じてのユーザ操作や、信号処理部９４における受信電波強度の判定に基づいて、ＰＨＳ部９７と無線LAN部９８とを選択的に信号処理部９４に接続する切替スイッチである。
【０１６４】
一方、自営基地局装置１００ｕは、接続処理部１０４と、ネットワークIF部１０５とを有している。
【０１６５】
接続処理部１０４は、ネットワークIF部１０５を介して、SIPサーバ１１との通信を行うモジュールである。具体的には、接続処理部１０４は、SIP(Session Initiation Protocol)に基づいて、上述した端末ID[U1234-5678]、IPアドレス[x’.x’.x’.x’]、ユーザID[user_a]及びパスワードをSIPサーバ１１に送信する。さらに、接続処理部１０４は、送信したIPアドレス[x’.x’.x’.x’]がデータベースサーバ１２に登録された場合には、SIPサーバ１１から当該IPアドレスの登録有効期間を示す情報（SIPヘッダの”expires”パラメータ）を受信する。また、接続処理部１０４は、受信した当該IPアドレスの登録有効期間を示す情報に基づいて、登録有効期間が経過する前にIPアドレス、ユーザID及びパスワードを再度SIPサーバ１１に送信し、データベースサーバ１２に当該IPアドレスを再登録させる。
【０１６６】
また、接続処理部１０４は、SIP(Session Initiation Protocol)に基づいて、SIPサーバ１１と、携帯端末装置９０ｕ、すなわち、ユーザＵの利用する電話番号[070-xxxx-]に対する呼の接続を実行するものである。さらに、接続処理部１０４は、携帯端末装置９０ｕが自営基地局装置１００ｕと接続されているかを定期的に確認する。携帯端末装置９０ｕが自営基地局装置１００ｕから切り離された場合、接続処理部１０４は、その旨をSIPサーバ１１に通知する。
【０１６７】
ネットワークIF部１０５は、IPネットワーク１と接続可能なインターフェースを具備するものでものである。例えば、ネットワークIF部１０５は、IEEE802.3uに準拠した100BASE-TX等のLANインターフェースにより実現することができる。なお、IPネットワーク１と自営基地局装置１００ｕとの接続には、IPネットワーク１と接続されるアクセス回線の状況に応じて、ADSL(Asymmetric Digital Subscriber Line)モデム等を用いることもできる。
【０１６８】
さらに、自営基地局装置１００ｕは、ＰＨＳ方式の通信プロトコルを用いて無線通信を行う通信インターフェースである自営ＰＨＳ部１０６と、無線LAN等の近距離通信用の通信インターフェースである無線LAN部１０７と、これらの自営ＰＨＳ部１０６と無線LAN部１０７とを切り替えるための切替部１０８とを備えている。
【０１６９】
自営ＰＨＳ部１０６は、携帯端末装置９０ｕに備えられたＰＨＳ部９７との間で、ＰＨＳ方式のプロトコルを用いて無線通信を行うモジュールである。無線LAN部１０７は、携帯端末装置９０ｕに備えられた無線LAN部９８との間で、IEEE802.11等に準拠した方式により無線通信を行うモジュールである。切替部１０８は、スイッチ１０１ａを通じてのユーザ操作や、自営ＰＨＳ部１０６及び無線LAN部１０７における受信電波強度の判定に基づいて、自営ＰＨＳ部１０６と無線LAN部１０７とを選択的に接続処理部１０４やネットワークIF部１０５に接続する切替スイッチである。
【０１７０】
（通信システムの動作概要）
次に、上述した本実施形態に係る通信システムの動作の概要について説明する。図１０は、通信システムの動作を示す説明図である。
【０１７１】
例えば、ユーザ宅２５のユーザが、IP電話端末２６を用いてユーザ宅２０に設置されているユーザＵが利用するIP電話端末２１ｕに対して発呼した場合、まず、コールエージェント１３は、IP電話端末２１ｕに割り当てられている電話番号[050-xxxx-]をIPアドレス[y.y.y.y]とともにIP電話端末２６から受信する。次いで、コールエージェント１３は、受信した電話番号[050-xxxx-]に基づいて、データベースサーバ１２を参照する。
【０１７２】
ここで、データベースサーバ１２には、例えば図１１の電話番号テーブル１２５ａに示されている情報が記憶されている。コールエージェント１３は、電話番号テーブル１２５ａの「割当電話番号」に示されている[050-xxxx-]に基づいて、「接続先アドレス（優先順位１）」に示されているIPアドレス[x.x.x.x]を取得する。コールエージェント１３は、データベースサーバ１２から取得したIPアドレス[x.x.x.x]と、IP電話端末２６から受信したIPアドレス[y.y.y.y]に基づいて、IP電話端末２６とIP電話端末２１ｕとを接続する。
【０１７３】
また、本実施形態に係るデータベースサーバ１２は、所定の電話番号に対する呼を転送する転送先の電話番号を記憶することができる。例えば、電話番号テーブル１２５ａにおいて、割当電話番号[050-xxxx-]には、上述した「接続先アドレス（優先順位１）」として記憶されているIPアドレス[x.x.x.x]に加え、「接続先アドレス（優先順位４）」として、ユーザＵが携帯する携帯端末装置９０ｕの電話番号［070-xxxx-］が記憶されている。
【０１７４】
本実施形態において、この電話番号テーブル１２５ａは階層構造をなしており、この割当電話番号[070-xxxx-]の下位テーブル１２５ｃには、携帯端末装置９０ｕと接続可能な自営基地局装置１００ｕのIPアドレスが記憶されている。例えば、「接続先アドレス（優先順位２）」として、ユーザＵのオフィス３０に設置された自営基地局装置１００ｕのIPアドレス[[x1.x1.x1.x1]が記憶され、「接続先アドレス（優先順位３）」として、ユーザＵが利用するパーソナル・コンピュータ７０ｕに取り付けられた自営基地局装置１００ｕのIPアドレス[[x2.x2.x2.x2]が記憶されている。なお、ユーザＵは、インターネット等を介して、一般電話端末３１の電話番号や移動電話端末５１ｕの電話番号をデータベースサーバ１２に記憶させることができる。
【０１７５】
コールエージェント１３は、データベースサーバ１２に複数の接続先アドレスが記憶されている場合、接続先アドレスの優先順位に基づいて、割当電話番号（[050-xxxx-]）に対する呼を接続することができる。
【０１７６】
例えば、コールエージェント１３は、「接続先アドレス（優先順位１）」として記憶されているIPアドレス[x.x.x.x]に基づいて、IP電話端末２１ｕを呼び出すが、IP電話端末２１ｕがコールエージェント１３からの呼び出しに所定の時間内に応答しない場合、IP電話端末２１ｕに対する呼び出しを中止し、「接続先アドレス（優先順位２）」として記憶されている電話番号[03-xxxx-]に基づいて、一般電話端末３１を呼び出すことができる。
【０１７７】
さらに、コールエージェント１３は、携帯端末装置９０ｕを呼び出す際には、直接ＰＨＳ方式によって電話番号［070-xxxx-］を呼び出し、所定時間内に応答しない場合は、順次、自営基地局装置１００ｕのIPアドレスを通じての呼び出しを行う。なお、データベースサーバ１２に記憶されている複数の「接続先アドレス」の優先順位は、ユーザＵが所定の情報をデータベースサーバ１２にさらに記憶させることにより、一日の時間帯によって変更してもよい。
【０１７８】
データベースサーバ１２とコールエージェント１３とが、上述のように動作することにより、ユーザＵの存在する場所に応じて、ユーザＵの利用する電話番号[050-xxxx-]に対する呼を所定の電話端末に接続することができる。
【０１７９】
さらに、本実施形態では、ユーザＵが自営基地局装置１００ｕを介して携帯端末装置９０ｕをIPネットワーク１に接続した場合、その接続した自営基地局装置１００ｕに割り当てられたIPアドレスが、上述したデータベースサーバ１２に記憶されている「接続先アドレス」として、SIPサーバ１１を介して設定される。
【０１８０】
したがって、ユーザＵは、例えば出張先等において、自営基地局装置１００ｕを介して、携帯端末装置９０ｕをIPネットワーク１に接続することにより、データベースサーバ１２に記憶されている「接続先アドレス」を自ら変更することなく、電話番号[050-xxxx-]に対する呼に対して自営基地局装置１００ｕと携帯端末装置９０ｕとを用いて応答することができる。
【０１８１】
本実施形態に係る通信システムは、上述のように動作するため、ユーザＵが、同一の電話番号[050-xxxx-]が割り当てられたIP電話端末２１ｕと専用電話端末６０ｕとの２台の電話端末を「接続先アドレス」等の変更の操作をすることなく使い分けることを実現する。
【０１８２】
特に、本実施形態では、自営基地局装置１００ｕにより、携帯端末装置９０ｕとの間でＰＨＳ方式の通信を可能としたため、ユーザは、携帯端末装置９０ｕに割り当てられたＰＨＳ電話番号を用いて、IP電話を利用することができる。また、自営基地局装置１００ｕをパーソナル・コンピュータ７０ｕに対して着脱可能なアンテナアダプタとすれば、このアンテナアダプタを携帯することにより、例えば海外など、無線基地局３Ｂの電波が届かない場所であっても、IPネットワーク１に接続できるパーソナル・コンピュータがあるところであれば、自営のＰＨＳアンテナ局を構築することができ、通常と同様の操作により、ＰＨＳ電話を利用することができる。
【０１８３】
（産業上の利用可能性）
以上説明したように、本発明によれば、端末装置から当該端末装置を識別する情報および当該ネットワーク上の位置を示す情報を自動的に送信させ、この送信された情報に基づいて呼接続サーバの情報を変更することにより所定の電話番号に対する呼を当該端末装置に接続することができる通信システム、呼接続サーバ、端末装置及び通信方法を提供することができる。
【図１】
0004478109.tif 000002
【図２】
0004478109.tif 000003
【図３】
0004478109.tif 000004
【図４】
0004478109.tif 000005
【図５】
0004478109.tif 000006
【図６】
0004478109.tif 000007
【図７】
0004478109.tif 000008
【図８】
0004478109.tif 000009
【図９】
0004478109.tif 000010
【図１０】
0004478109.tif 000011
【図１１】
0004478109.tif 000012